(57)【要約】【課題】事件現場にいる人に犯罪の危険や犯罪が発生したことを従来と比較して早く知らせることができる防犯システムを提供すること。【解決手段】防犯システムは、無線端末装置と、音情報を出力するスピーカ２３１を有したスピーカ装置２００とを備え、スピーカ装置２００は、無線によって信号を受信するアンテナ２１１及び受信部２１２と、音情報を記録するメモリ２２１と、スピーカ２３１による音情報の出力を制御するＣＰＵ２５１とを有し、アンテナ２１１及び受信部２１２は、メモリ２２１によって記録された音情報をスピーカ２３１に出力させることを制御する制御信号を無線端末装置から受信し、ＣＰＵ２５１は、アンテナ２１１及び受信部２１２によって受信された制御信号に基づいてメモリ２２１によって記録された音情報をスピーカ２３１に出力させるようにする。【選択図】　　　図３
2004139505.tif 000002
【特許請求の範囲】
【請求項１】
無線によって信号を送信する無線送信部を有した無線端末装置と、
無線によって信号を受信する無線受信部、音情報を出力するスピーカ、音情報を記録する音情報記録部、及び、前記スピーカによる音情報の出力を制御する制御部を有したスピーカ装置とを備え、
前記無線送信部は、前記音情報記録部によって記録された前記音情報を前記スピーカに出力させることを制御する制御信号を送信し、
前記無線受信部は、前記無線送信部によって送信された前記制御信号を受信し、
前記制御部は、前記無線受信部によって受信された前記制御信号に基づいて前記音情報記録部によって記録された前記音情報を前記スピーカに出力させることを特徴とする防犯システム。
【請求項２】
前記無線送信部は、前記無線端末装置の端末識別情報を送信し、
前記無線受信部は、前記無線送信部によって送信された前記端末識別情報を受信し、
前記スピーカ装置は、前記無線受信部によって受信された前記端末識別情報を記録する識別情報記録部を有したことを特徴とする請求項１に記載の防犯システム。
【請求項３】
前記無線受信部による前記制御信号の受信の状態を音及び映像の少なくとも一方で出力する出力部を有した出力装置を備え、
前記スピーカ装置は、前記無線受信部が前記制御信号を受信したことを通知する通知情報を送信する通知情報送信部を有し、
前記出力装置は、前記通知情報送信部によって送信された前記通知情報を受信する通知情報受信部を有し、
前記出力部は、前記通知情報受信部によって受信された前記通知情報に基づいて前記無線受信部による前記制御信号の受信の状態を出力することを特徴とする請求項１に記載の防犯システム。
【請求項４】
前記スピーカによる音情報の出力を前記制御部に制御させる制御情報を送信する制御情報送信部を有した制御装置を備え、
前記スピーカ装置は、前記制御情報送信部によって送信された前記制御情報を受信する制御情報受信部を有し、
前記制御部は、前記制御情報受信部によって受信された前記制御情報に基づいて前記スピーカによる音情報の出力を制御することを特徴とする請求項１に記載の防犯システム。
【請求項５】
前記無線端末装置の使用者を特定する特定部を有した特定装置を備え、
前記無線送信部は、前記無線端末装置の端末識別情報を送信し、
前記無線受信部は、前記無線送信部によって送信された前記端末識別情報を受信し、
前記スピーカ装置は、前記無線受信部によって受信された前記端末識別情報を送信する識別情報送信部を有し、
前記特定装置は、前記識別情報送信部によって送信された前記端末識別情報を受信する識別情報受信部と、前記無線端末装置の使用者に関する使用者情報を前記端末識別情報に対応して登録する登録部とを有し、
前記特定部は、前記識別情報受信部によって受信された前記端末識別情報、及び、前記登録部によって登録された前記使用者情報に基づいて前記無線端末装置の使用者を特定することを特徴とする請求項１に記載の防犯システム。
【請求項６】
前記無線端末装置の端末識別情報を記録する識別情報記録部を有した記録装置を備え、
前記無線送信部は、前記端末識別情報を送信し、
前記無線受信部は、前記無線送信部によって送信された前記端末識別情報を受信し、
前記スピーカ装置は、前記無線受信部によって受信された前記端末識別情報を送信する識別情報送信部を有し、
前記記録装置は、前記識別情報送信部によって送信された前記端末識別情報を受信する識別情報受信部を有し、
前記識別情報記録部は、前記識別情報受信部によって受信された前記端末識別情報を記録することを特徴とする請求項１に記載の防犯システム。
【請求項７】
音情報を出力するスピーカと、無線によって信号を受信する無線受信部と、音情報を記録する音情報記録部と、前記スピーカによる音情報の出力を制御する制御部とを備え、
前記無線受信部は、前記音情報記録部によって記録された前記音情報を前記スピーカに出力させることを制御する制御信号を受信し、
前記制御部は、前記無線受信部によって受信された前記制御信号に基づいて前記音情報記録部によって記録された前記音情報を前記スピーカに出力させることを特徴とするスピーカ装置。
【請求項８】
前記制御信号を送信した装置の端末識別情報を記録する識別情報記録部を備え、
前記無線受信部は、前記端末識別情報を受信し、
前記識別情報記録部は、前記無線受信部によって受信された前記端末識別情報を記録することを特徴とする請求項７に記載のスピーカ装置。
【請求項９】
前記無線受信部が前記制御信号を受信したことを通知する通知情報を送信する通知情報送信部を備えたことを特徴とする請求項７に記載のスピーカ装置。
【請求項１０】
前記スピーカによる音情報の出力を前記制御部に制御させる制御情報を受信する制御情報受信部を備え、
前記制御部は、前記制御情報受信部によって受信された前記制御情報に基づいて前記スピーカによる音情報の出力を制御することを特徴とする請求項７に記載のスピーカ装置。
【請求項１１】
前記制御信号を送信した装置の端末識別情報を送信する識別情報送信部を備え、
前記無線受信部は、前記制御信号を送信した装置の端末識別情報を受信し、
前記識別情報送信部は、前記無線受信部によって受信された前記端末識別情報を送信することを特徴とする請求項７に記載のスピーカ装置。
【請求項１２】
無線によって信号を送信する無線送信部を備え、
前記無線送信部は、スピーカ装置によって記録された音情報を前記スピーカ装置に出力させることを制御する制御信号を送信することを特徴とする無線端末装置。
【請求項１３】
前記無線送信部は、端末識別情報を送信することを特徴とする請求項１２に記載の無線端末装置。
【発明の詳細な説明】
【０００１】
【発明の属する技術分野】
本発明は、犯罪の発生や犯罪による被害の拡大を防止する防犯システムに関するものである。
【０００２】
【従来の技術】
従来、犯罪の発生や犯罪による被害の拡大を防止する防犯システムとして、図１１に示すような防犯システム９００が知られている（例えば、特許文献１参照。）。
【０００３】
防犯システム９００は、店舗の軒先や街灯などの場所に設置されたマイク９１０と、マイク９１０が設置された場所から離れた交番や警察署などの場所に設置されてマイク９１０によって入力された音情報を出力する出力装置９２０と、マイク９１０及び出力装置９２０を接続する図示していないケーブルとを備えている。
【０００４】
そして、犯罪による被害の危険にさらされた人や犯罪による被害者など、犯罪の危険や犯罪が発生した現場（以下、事件現場という。）にいる人が、マイク９１０に音声を入力することによって出力装置９２０の使用者に連絡することができるので、防犯システム９００は、犯罪の発生や犯罪による被害の拡大を防止することができる。
【０００５】
【特許文献１】
特開２０００−２６８２８１号公報（第３頁、第４図）
【０００６】
【発明が解決しようとする課題】
しかしながら、上記従来の防犯システム９００においては、マイク９１０が設置された場所に事件現場にいる人が行かなければ、犯罪の発生や犯罪による被害の拡大を防止することができないという問題があった。
【０００７】
そこで、本発明は、事件現場にいる人に犯罪の危険や犯罪が発生したことを従来と比較して早く知らせることができる防犯システムを提供することを目的とする。
【０００８】
【課題を解決するための手段】
上記課題を解決するために、本発明の防犯システムは、無線によって信号を送信する無線送信部を有した無線端末装置と、無線によって信号を受信する無線受信部、音情報を出力するスピーカ、音情報を記録する音情報記録部、及び、前記スピーカによる音情報の出力を制御する制御部を有したスピーカ装置とを備え、前記無線送信部は、前記音情報記録部によって記録された前記音情報を前記スピーカに出力させることを制御する制御信号を送信し、前記無線受信部は、前記無線送信部によって送信された前記制御信号を受信し、前記制御部は、前記無線受信部によって受信された前記制御信号に基づいて前記音情報記録部によって記録された前記音情報を前記スピーカに出力させる構成を有している。
【０００９】
この構成により、本発明の防犯システムは、事件現場にいる人の無線端末装置によって送信された制御信号に基づいて事件現場に設置されたスピーカ装置が音情報を事件現場に出力するので、事件現場にいる人に犯罪の危険や犯罪が発生したことを従来と比較して早く知らせることができる。
【００１０】
また、本発明の防犯システムは、前記無線送信部は、前記無線端末装置の端末識別情報を送信し、前記無線受信部は、前記無線送信部によって送信された前記端末識別情報を受信し、前記スピーカ装置は、前記無線受信部によって受信された前記端末識別情報を記録する識別情報記録部を有した構成を有している。
【００１１】
この構成により、本発明の防犯システムは、スピーカ装置に音情報を出力させた無線端末装置の端末識別情報がスピーカ装置によって記録されるので、スピーカ装置に音情報を出力させた無線端末装置を調査する調査者に、スピーカ装置に音情報を出力させた無線端末装置を認識させることができる。
【００１２】
また、本発明の防犯システムは、前記無線受信部による前記制御信号の受信の状態を音及び映像の少なくとも一方で出力する出力部を有した出力装置を備え、前記スピーカ装置は、前記無線受信部が前記制御信号を受信したことを通知する通知情報を送信する通知情報送信部を有し、前記出力装置は、前記通知情報送信部によって送信された前記通知情報を受信する通知情報受信部を有し、前記出力部は、前記通知情報受信部によって受信された前記通知情報に基づいて前記無線受信部による前記制御信号の受信の状態を出力する構成を有している。
【００１３】
この構成により、本発明の防犯システムは、事件現場にいる人の無線端末装置によって送信された制御信号に基づいて事件現場から離隔した場所に設置された出力装置がスピーカ装置による制御信号の受信の状態を音及び映像の少なくとも一方で事件現場から離隔した場所に出力するので、出力装置の使用者に犯罪の危険や犯罪が発生したことを従来と比較して早く知らせることができる。
【００１４】
また、本発明の防犯システムは、前記スピーカによる音情報の出力を前記制御部に制御させる制御情報を送信する制御情報送信部を有した制御装置を備え、前記スピーカ装置は、前記制御情報送信部によって送信された前記制御情報を受信する制御情報受信部を有し、前記制御部は、前記制御情報受信部によって受信された前記制御情報に基づいて前記スピーカによる音情報の出力を制御する構成を有している。
【００１５】
この構成により、本発明の防犯システムは、事件現場から離隔した場所に設置された制御装置によって送信された制御情報に基づいて事件現場に設置されたスピーカ装置が事件現場への音情報の出力を制御するので、制御装置への操作に基づいて犯罪の発生や犯罪による被害の拡大を防止することができる。
【００１６】
また、本発明の防犯システムは、前記無線端末装置の使用者を特定する特定部を有した特定装置を備え、前記無線送信部は、前記無線端末装置の端末識別情報を送信し、前記無線受信部は、前記無線送信部によって送信された前記端末識別情報を受信し、前記スピーカ装置は、前記無線受信部によって受信された前記端末識別情報を送信する識別情報送信部を有し、前記特定装置は、前記識別情報送信部によって送信された前記端末識別情報を受信する識別情報受信部と、前記無線端末装置の使用者に関する使用者情報を前記端末識別情報に対応して登録する登録部とを有し、前記特定部は、前記識別情報受信部によって受信された前記端末識別情報、及び、前記登録部によって登録された前記使用者情報に基づいて前記無線端末装置の使用者を特定する構成を有している。
【００１７】
この構成により、本発明の防犯システムは、特定装置がスピーカ装置に音情報を出力させた無線端末装置の使用者を特定するので、スピーカ装置に音情報を出力させた無線端末装置の使用者を調査する調査者に、スピーカ装置に音情報を出力させた無線端末装置の使用者を認識させることができる。
【００１８】
また、本発明の防犯システムは、前記無線端末装置の端末識別情報を記録する識別情報記録部を有した記録装置を備え、前記無線送信部は、前記端末識別情報を送信し、前記無線受信部は、前記無線送信部によって送信された前記端末識別情報を受信し、前記スピーカ装置は、前記無線受信部によって受信された前記端末識別情報を送信する識別情報送信部を有し、前記記録装置は、前記識別情報送信部によって送信された前記端末識別情報を受信する識別情報受信部を有し、前記識別情報記録部は、前記識別情報受信部によって受信された前記端末識別情報を記録する構成を有している。
【００１９】
この構成により、本発明の防犯システムは、スピーカ装置に音情報を出力させた無線端末装置の端末識別情報が記録装置によって記録されるので、スピーカ装置に音情報を出力させた無線端末装置を調査する調査者に、スピーカ装置に音情報を出力させた無線端末装置を認識させることができる。
【００２０】
また、本発明のスピーカ装置は、音情報を出力するスピーカと、無線によって信号を受信する無線受信部と、音情報を記録する音情報記録部と、前記スピーカによる音情報の出力を制御する制御部とを備え、前記無線受信部は、前記音情報記録部によって記録された前記音情報を前記スピーカに出力させることを制御する制御信号を受信し、前記制御部は、前記無線受信部によって受信された前記制御信号に基づいて前記音情報記録部によって記録された前記音情報を前記スピーカに出力させる構成を有している。
【００２１】
この構成により、本発明のスピーカ装置は、事件現場にいる人の無線端末装置によって送信された制御信号に基づいてスピーカが音情報を事件現場に出力するので、事件現場にいる人に犯罪の危険や犯罪が発生したことを従来と比較して早く知らせることができる。
【００２２】
また、本発明のスピーカ装置は、前記制御信号を送信した装置の端末識別情報を記録する識別情報記録部を備え、前記無線受信部は、前記端末識別情報を受信し、前記識別情報記録部は、前記無線受信部によって受信された前記端末識別情報を記録する構成を有している。
【００２３】
この構成により、本発明のスピーカ装置は、スピーカに音情報を出力させた無線端末装置の端末識別情報が識別情報記録部によって記録されるので、スピーカに音情報を出力させた無線端末装置を調査する調査者に、スピーカに音情報を出力させた無線端末装置を認識させることができる。
【００２４】
また、本発明のスピーカ装置は、前記無線受信部が前記制御信号を受信したことを通知する通知情報を送信する通知情報送信部を備えた構成を有している。
【００２５】
この構成により、本発明のスピーカ装置は、通知情報送信部が通知情報を送信するので、例えば、事件現場にいる人の無線端末装置によって送信された制御信号に基づいて事件現場から離隔した場所に設置された出力装置に無線受信部による制御信号の受信の状態を音及び映像の少なくとも一方で事件現場から離隔した場所に出力させることができる。本発明のスピーカ装置は、事件現場にいる人の無線端末装置によって送信された制御信号に基づいて事件現場から離隔した場所に設置された出力装置に無線受信部による制御信号の受信の状態を音及び映像の少なくとも一方で事件現場から離隔した場所に出力させる場合、出力装置の使用者に犯罪の危険や犯罪が発生したことを従来と比較して早く知らせることができる。
【００２６】
また、本発明のスピーカ装置は、前記スピーカによる音情報の出力を前記制御部に制御させる制御情報を受信する制御情報受信部を備え、前記制御部は、前記制御情報受信部によって受信された前記制御情報に基づいて前記スピーカによる音情報の出力を制御する構成を有している。
【００２７】
この構成により、本発明のスピーカ装置は、事件現場から離隔した場所に設置された制御装置によって送信された制御情報に基づいて制御部が事件現場への音情報の出力を制御するので、制御装置への操作に基づいて犯罪の発生や犯罪による被害の拡大を防止することができる。
【００２８】
また、本発明のスピーカ装置は、前記制御信号を送信した装置の端末識別情報を送信する識別情報送信部を備え、前記無線受信部は、前記制御信号を送信した装置の端末識別情報を受信し、前記識別情報送信部は、前記無線受信部によって受信された前記端末識別情報を送信する構成を有している。
【００２９】
この構成により、本発明のスピーカ装置は、識別情報送信部が端末識別情報を送信するので、例えば、スピーカに音情報を出力させた無線端末装置の使用者を特定装置に特定させたり、スピーカに音情報を出力させた無線端末装置の端末識別情報を記録装置に記録させたりすることができる。本発明のスピーカ装置は、スピーカに音情報を出力させた無線端末装置の使用者を特定装置に特定させる場合、スピーカに音情報を出力させた無線端末装置の使用者を調査する調査者に、スピーカに音情報を出力させた無線端末装置の使用者を認識させることができる。また、本発明のスピーカ装置は、スピーカに音情報を出力させた無線端末装置の端末識別情報を記録装置に記録させる場合、スピーカに音情報を出力させた無線端末装置を調査する調査者に、スピーカに音情報を出力させた無線端末装置を認識させることができる。
【００３０】
また、本発明の無線端末装置は、無線によって信号を送信する無線送信部を備え、前記無線送信部は、スピーカ装置によって記録された音情報を前記スピーカ装置に出力させることを制御する制御信号を送信する構成を有している。
【００３１】
この構成により、本発明の無線端末装置は、無線送信部によって送信された制御信号に基づいて事件現場に設置されたスピーカ装置に音情報を事件現場に出力させるので、事件現場にいる人に犯罪の危険や犯罪が発生したことを従来と比較して早く知らせることができる。
【００３２】
また、本発明の無線端末装置は、前記無線送信部は、端末識別情報を送信する構成を有している。
【００３３】
この構成により、本発明の無線端末装置は、無線送信部が端末識別情報を送信するので、例えば、端末識別情報をスピーカ装置や記録装置によって記録させたり、使用者を特定装置によって特定させたりすることができる。本発明の無線端末装置は、端末識別情報をスピーカ装置や記録装置によって記録させる場合、スピーカ装置に音情報を出力させたときに無線端末装置を調査する調査者に無線端末装置自体を認識させることができる。また、本発明の無線端末装置は、使用者を特定装置によって特定させる場合、スピーカ装置に音情報を出力させたときに無線端末装置の使用者を調査する調査者に無線端末装置の使用者を認識させることができる。
【００３４】
【発明の実施の形態】
以下、本発明の実施の形態について、図面を用いて説明する。
【００３５】
（第１の実施の形態）
【００３６】
まず、第１の実施の形態に係る防犯システムの構成について説明する。
【００３７】
図１において、本実施の形態に係る防犯システム１００は、予め記録しておいたサイレン音やブザー音などの音情報を出力する複数のスピーカ装置２００と、スピーカ装置２００に記録されている音情報をスピーカ装置２００に出力させることを制御する制御信号を送信する無線端末装置３００とを備えている。
【００３８】
ここで、スピーカ装置２００は、無線端末装置３００によって送信された制御信号を受信するようになっている。
【００３９】
また、防犯システム１００は、スピーカ装置２００による制御信号の受信の状態を音及び映像の少なくとも一方で出力する出力装置４００と、スピーカ装置２００及び出力装置４００を接続する図示していない光ケーブルとを備えている。
【００４０】
また、スピーカ装置２００は、店舗の軒先や街灯などの場所に設置されており、無線端末装置３００は、使用者によって携帯されており、出力装置４００は、スピーカ装置２００が設置された場所から離れた交番や警察署などの場所に設置されている。
【００４１】
図２及び図３に示すように、スピーカ装置２００は、筐体２０１と、電源ケーブル２０２と、信号を受け取るアンテナ２１１と、アンテナ２１１によって受け取られた信号を受信する受信部２１２と、受信部２１２によって受信された信号をアナログ信号からデジタル信号に変換するＡＤ（ａｎａｌｏｇ−ｔｏ−ｄｉｇｉｔａｌ）変換器２１３と、音情報を記録する音情報記録部としてのメモリ２２１と、音情報を出力するスピーカ２３１と、スピーカ２３１によって出力する音情報の電流を増幅する増幅器２３２と、増幅器２３２によって電流が増幅される音情報をデジタル信号からアナログ信号に変換するＤＡ（ｄｉｇｉｔａｌ−ｔｏ−ａｎａｌｏｇ）変換器２３３と、信号を送受信する送受信部２４１と、スピーカ２３１による音情報の出力を制御する制御部としてのＣＰＵ（ＣｅｎｔｒａｌＰｒｏｃｅｓｓｉｎｇ　Ｕｎｉｔ）２５１とを備えている。
【００４２】
ここで、アンテナ２１１及び受信部２１２は、制御信号、即ち、メモリ２２１によって記録された音情報をスピーカ２３１に出力させる信号と、無線端末装置３００（図１参照）の端末識別情報とを無線によって受信する無線受信部を構成している。
【００４３】
また、メモリ２２１は、受信部２１２によって受信された端末識別情報を記録する識別情報記録部を構成している。
【００４４】
また、送受信部２４１は、受信部２１２が制御信号を受信したことを通知する通知情報を送信する通知情報送信部と、スピーカ２３１による音情報の出力をＣＰＵ２５１に制御させる制御情報を受信する制御情報受信部と、受信部２１２によって受信された端末識別情報を送信する識別情報送信部とを構成している。
【００４５】
また、ＣＰＵ２５１は、受信部２１２によって受信された端末識別情報をメモリ２２１に記録させるようになっている。
【００４６】
また、ＣＰＵ２５１は、受信部２１２によって受信された制御信号に基づいてメモリ２２１によって記録された音情報をスピーカ２３１に出力させるようになっている。
【００４７】
また、ＣＰＵ２５１は、送受信部２４１によって受信された制御情報に基づいてスピーカ２３１による音情報の出力を制御するようになっている。例えば、スピーカ２３１による音情報の出力をＣＰＵ２５１に停止させる停止信号が制御情報に含まれるとき、ＣＰＵ２５１は、スピーカ２３１による音情報の出力を停止するようになっている。また、音情報が制御情報に含まれるとき、ＣＰＵ２５１は、制御情報に含まれる音情報をスピーカ２３１に出力させるようになっている。また、制御信号が制御情報に含まれるとき、ＣＰＵ２５１は、メモリ２２１によって記録された音情報をスピーカ２３１に出力させるようになっている。
【００４８】
なお、スピーカ装置２００のうち筐体２０１などの外部に露出する部分は、ポリプロピレン樹脂やＡＢＳ樹脂等の屋外の環境にも耐えられる材料で形成されている。
【００４９】
また、図４及び図５に示すように、無線端末装置３００は、筐体３０１と、信号を送り出すアンテナ３１１と、アンテナ３１１によって送り出す信号を送信する送信部３１２と、送信部３１２によって送信する信号をデジタル信号からアナログ信号に変換するＤＡ変換器３１３と、端末識別情報を記録する識別情報記録部としてのメモリ３２１と、使用者によって操作される操作部３３１と、操作部３３１への操作の内容が表示される表示部３４１と、ＣＰＵ３５１とを備えている。
【００５０】
ここで、アンテナ３１１及び送信部３１２は、制御信号及び端末識別情報を無線によって送信する無線送信部を構成している。
【００５１】
また、ＣＰＵ３５１は、操作部３３１への操作に基づいて、制御信号やメモリ３２１によって記録された端末識別情報を送信部３１２に送り出させるとともに、操作部３３１への操作の内容を表示部３４１に表示させるようになっている。
【００５２】
なお、無線端末装置３００は、例えば、携帯電話機やＰＨＳ（ｐｅｒｓｏｎａｌ　ｈａｎｄｙ−ｐｈｏｎｅ　ｓｙｓｔｅｍ）で構成されている。
【００５３】
また、図６に示すように、出力装置４００は、スピーカ装置２００（図１参照）の受信部２１２（図３参照）による制御信号の受信の状態を音で出力するスピーカ４１１と、受信部２１２による制御信号の受信の状態を映像で出力する表示部４１２と、メモリ４２１と、信号を送受信する送受信部４３１と、使用者によって操作される操作部４４１と、音情報が入力されるマイク４４２と、ＣＰＵ４５１とを備えている。
【００５４】
ここで、送受信部４３１は、スピーカ装置２００の送受信部２４１（図３参照）によって送信された通知情報を受信する通知情報受信部と、送受信部２４１に制御情報を送信する制御情報送信部と、送受信部２４１によって送信された端末識別情報を受信する識別情報受信部とを構成している。
【００５５】
また、ＣＰＵ４５１は、送受信部４３１によって受信された通知情報に基づいて受信部２１２による制御信号の受信の状態をスピーカ４１１及び表示部４１２に出力させるようになっており、スピーカ４１１、表示部４１２及びＣＰＵ４５１は、送受信部４３１によって受信された通知情報に基づいて受信部２１２による制御信号の受信の状態を出力する出力部を構成している。
【００５６】
また、メモリ４２１は、無線端末装置３００（図１参照）の使用者に関する使用者情報を端末識別情報に対応して登録する登録部と、送受信部４３１によって受信された端末識別情報を記録する識別情報記録部とを構成している。
【００５７】
また、メモリ４２１は、スピーカ装置２００のスピーカ２３１によって出力させるサイレン音やブザー音などの音情報を記録している。
【００５８】
また、ＣＰＵ４５１は、操作部４４１への操作に基づいて、送受信部４３１に制御情報を送信させるとともに、操作部４４１への操作の内容を表示部４１２に表示させるようになっている。
【００５９】
また、ＣＰＵ４５１は、送受信部４３１によって受信された端末識別情報、及び、メモリ４２１によって登録された使用者情報に基づいて無線端末装置３００の使用者を特定する特定部を構成している。
【００６０】
即ち、出力装置４００は、制御情報を送信する制御装置と、無線端末装置３００の使用者を特定する特定装置と、無線端末装置３００の端末識別情報を記録する記録装置とを構成している。
【００６１】
なお、出力装置４００は、例えば、パーソナルコンピュータで構成されている。
【００６２】
次に、本実施の形態に係る防犯システムの動作について説明する。
【００６３】
事件現場にいる無線端末装置３００の使用者が、犯罪の危険や犯罪の発生を認識したときに、送信部３１２に制御信号を送り出させるように操作部３３１を操作すると、ＣＰＵ３５１は、操作部３３１の操作に基づいて、制御信号をＤＡ変換器３１３に出力するとともにメモリ３２１によって記録された端末識別情報をＤＡ変換器３１３に出力する。
【００６４】
なお、ＣＰＵ３５１は、操作部３３１の操作の内容を表示部３４１に表示させるので、無線端末装置３００の使用者は、表示部３４１に表示された内容を確認しながら操作部３３１を操作することができる。
【００６５】
制御信号及び端末識別情報は、ＣＰＵ３５１によってＤＡ変換器３１３に出力されると、ＤＡ変換器３１３によってデジタル信号からアナログ信号に変換され、送信部３１２によってアンテナ３１１から送り出される。アンテナ３１１から送り出された制御信号及び端末識別情報は、スピーカ装置２００のアンテナ２１１で受け取られ、更に受信部２１２を介してＡＤ変換器２１３に入力され、ＡＤ変換器２１３によってアナログ信号からデジタル信号に変換されてＣＰＵ２５１に出力される。
【００６６】
ＣＰＵ２５１は、制御信号及び端末識別情報が入力されると、入力された制御信号に基づいてメモリ２２１によって記録された音情報をメモリ２２１から入力し、入力した音情報をＤＡ変換器２３３に出力するとともに、入力された端末識別情報をメモリ２２１に記録させる。
【００６７】
音情報は、ＣＰＵ２５１によってＤＡ変換器２３３に出力されると、ＤＡ変換器２３３によってデジタル信号からアナログ信号に変換され、電流を増幅器２３２によって増幅され、スピーカ２３１によって出力される。
【００６８】
また、ＣＰＵ２５１は、制御信号及び端末識別情報を入力すると、受信部２１２が制御信号を受信したことを通知する通知情報を送受信部２４１に出力する。
【００６９】
通知情報は、ＣＰＵ２５１によって送受信部２４１に出力されると、送受信部２４１によって図示していない光ケーブルを介して出力装置４００に送信された後、出力装置４００の送受信部４３１によって受信され、送受信部４３１によってＣＰＵ４５１に出力される。
【００７０】
ＣＰＵ４５１は、通知情報を入力すると、入力した通知情報に基づいて受信部２１２による制御信号の受信の状態をスピーカ４１１及び表示部４１２に出力させる。ここで、スピーカ４１１は、受信部２１２による制御信号の受信の状態を音で出力し、表示部４１２は、受信部２１２による制御信号の受信の状態を映像で出力する。
【００７１】
したがって、出力装置４００の使用者は、防犯システム１００の複数のスピーカ装置２００のうち、受信部２１２が制御信号を受信したスピーカ装置２００を認識することができる。
【００７２】
また、出力装置４００の使用者が、送受信部４３１に制御情報を送信させるように操作部４４１を操作すると、ＣＰＵ４５１は、操作部４４１の操作に基づいて、制御情報を送受信部４３１に出力する。
【００７３】
例えば、ＣＰＵ４５１は、操作部４４１の操作に基づいて、スピーカ装置２００のスピーカ２３１による音情報の出力をスピーカ装置２００のＣＰＵ２５１に停止させる停止信号を制御情報に含めることができる。また、ＣＰＵ４５１は、操作部４４１への操作に基づいて、制御信号を制御情報に含めることができる。
【００７４】
また、ＣＰＵ４５１は、操作部４４１の操作に基づいて、メモリ４２１によって記録された音情報を制御情報に含めることができる。また、出力装置４００の使用者がマイク４４２に音声などの音情報を入力するとき、ＣＰＵ４５１は、操作部４４１の操作に基づいて、出力装置４００の使用者によってマイク４４２に入力された音情報を含めた制御情報を送受信部４３１に出力することができる。
【００７５】
なお、出力装置４００の使用者は、送受信部４３１に制御情報を送信させるように操作部４４１を操作するとき、例えばスピーカ４１１及び表示部４１２によって出力された受信部２１２による制御信号の受信の状態に基づくことができる。
【００７６】
ここで、ＣＰＵ４５１は、操作部４４１の操作の内容を表示部４１２に表示させるので、出力装置４００の使用者は、表示部４１２に表示された内容を確認しながら操作部４４１を操作することができる。
【００７７】
制御情報は、ＣＰＵ４５１によって送受信部４３１に出力されると、送受信部４３１によって図示していない光ケーブルを介してスピーカ装置２００に送信された後、スピーカ装置２００の送受信部２４１によって受信されてＣＰＵ２５１に出力される。
【００７８】
ＣＰＵ２５１は、制御情報を入力すると、入力した制御情報に基づいてスピーカ２３１による音情報の出力を制御する。
【００７９】
例えば、停止信号が制御情報に含まれるとき、ＣＰＵ２５１は、スピーカ２３１による音情報の出力を停止する。また、制御信号が制御情報に含まれるとき、ＣＰＵ２５１は、メモリ２２１によって記録された音情報をスピーカ２３１に出力させる。また、音情報が制御情報に含まれるとき、ＣＰＵ２５１は、制御情報に含まれる音情報をスピーカ２３１に出力させる。
【００８０】
また、ＣＰＵ２５１は、例えば、操作部４４１の操作や予め定められた期間の経過など、予め定められた条件の成立によって、メモリ２２１によって記録された端末識別情報を送受信部２４１に出力する。
【００８１】
端末識別情報は、ＣＰＵ２５１によって送受信部２４１に出力されると、送受信部２４１によって図示していない光ケーブルを介して出力装置４００に送信された後、出力装置４００の送受信部４３１によって受信され、送受信部４３１によってＣＰＵ４５１に出力される。
【００８２】
ＣＰＵ４５１は、端末識別情報を入力すると、入力した端末識別情報をメモリ４２１に記録させ、メモリ４２１によって登録された端末識別情報及び使用者情報に基づいて無線端末装置３００の使用者を特定する。
【００８３】
以上に説明したように、防犯システム１００は、事件現場にいる人の無線端末装置３００によって送信された制御信号に基づいて事件現場に設置されたスピーカ装置２００がサイレン音やブザー音などの音情報を事件現場に出力するので、事件現場にいる人に犯罪の危険や犯罪が発生したことを従来と比較して早く知らせることができる。
【００８４】
また、防犯システム１００は、スピーカ装置２００に音情報を出力させた無線端末装置３００の端末識別情報がスピーカ装置２００によって記録されるので、スピーカ装置２００に音情報を出力させた無線端末装置３００を調査する調査者に、スピーカ装置２００に音情報を出力させた無線端末装置３００を認識させることができる。
【００８５】
なお、調査者は、上述したように、スピーカ装置２００のメモリ２２１によって記録された端末識別情報を、スピーカ装置２００に図示していない光ケーブルによって接続された出力装置４００を介して取得できるが、本発明によれば、出力装置４００を介さずに直接、スピーカ装置２００から取得することもできる。
【００８６】
また、防犯システム１００は、事件現場にいる人の無線端末装置３００によって送信された制御信号に基づいて事件現場から離隔した場所に設置された出力装置４００がスピーカ装置２００による制御信号の受信の状態を音及び映像の少なくとも一方で事件現場から離隔した場所に出力するので、出力装置４００の使用者に犯罪の危険や犯罪が発生したことを従来と比較して早く知らせることができる。
【００８７】
また、防犯システム１００は、事件現場から離隔した場所に設置された出力装置４００によって送信された制御情報に基づいて事件現場に設置されたスピーカ装置２００が事件現場への音情報の出力を制御するので、出力装置４００への操作に基づいて犯罪の発生や犯罪による被害の拡大を防止することができる。
【００８８】
また、防犯システム１００は、出力装置４００がスピーカ装置２００に音情報を出力させた無線端末装置３００の使用者を特定するので、スピーカ装置２００に音情報を出力させた無線端末装置３００の使用者を調査する調査者に、スピーカ装置２００に音情報を出力させた無線端末装置３００の使用者を認識させることができる。
【００８９】
また、防犯システム１００は、スピーカ装置２００に音情報を出力させた無線端末装置３００の端末識別情報が記録装置によって記録されるので、スピーカ装置２００に音情報を出力させた無線端末装置３００を調査する調査者に、スピーカ装置２００に音情報を出力させた無線端末装置３００を認識させることができる。
【００９０】
なお、本実施の形態において、出力装置４００は、制御装置、特定装置及び記録装置を構成していたが、本発明によれば、制御装置、特定装置及び記録装置は、出力装置４００とは別の装置として構成されていても良い。
【００９１】
（第２の実施の形態）
【００９２】
まず、第２の実施の形態に係る防犯システムの構成について説明する。
【００９３】
なお、本実施の形態に係る防犯システムの構成は、第１の実施の形態に係る防犯システムの構成とほぼ同様であるので、本実施の形態に係る防犯システムの構成のうち第１の実施の形態に係る防犯システムの構成とほぼ同様な構成については、第１の実施の形態に係る防犯システムの構成と同一の符号を付して説明を省略する。
【００９４】
本実施の形態に係る防犯システムの構成は、第１の実施の形態に係る防犯システム１００（図１参照）において、スピーカ装置２００（図２及び図３参照）と、無線端末装置３００（図４及び図５参照）とに代えて、図７及び図８に示すスピーカ装置２６０と、図９及び図１０に示す無線端末装置３６０とを備えたものと同様の構成である。
【００９５】
また、スピーカ装置２６０の構成は、図７及び図８に示すように、スピーカ装置２００（図２及び図３参照）において、アンテナ２１１（図２及び図３参照）と、受信部２１２（図３参照）と、ＡＤ変換器２１３（図３参照）とに代えて、赤外線を受光する赤外線受光部２７１と、赤外線受光部２７１によって受光された赤外線を検出する赤外線センサ２７２とを備えたものと同様の構成である。
【００９６】
ここで、赤外線受光部２７１及び赤外線センサ２７２は、制御信号と、無線端末装置３６０（図９参照）の端末識別情報とを無線によって受信する無線受信部を構成している。
【００９７】
なお、スピーカ装置２６０のうち筐体２０１などの外部に露出する部分は、ポリプロピレン樹脂やＡＢＳ樹脂等の屋外の環境にも耐えられる材料で形成されている。
【００９８】
また、無線端末装置３６０の構成は、図９及び図１０に示すように、無線端末装置３００（図４及び図５参照）において、アンテナ３１１（図４及び図５参照）と、送信部３１２（図５参照）と、ＤＡ変換器３１３（図５参照）とに代えて、赤外線を発光する赤外線発光部３７１を備えたものと同様の構成である。
【００９９】
ここで、赤外線発光部３７１は、制御信号及び端末識別情報を無線によって送信する無線送信部を構成している。
【０１００】
次に、本実施の形態に係る防犯システムの動作について説明する。
【０１０１】
なお、本実施の形態に係る防犯システムの動作は、第１の実施の形態に係る防犯システムの動作とほぼ同様であるので、本実施の形態に係る防犯システムの動作のうち第１の実施の形態に係る防犯システムの動作とほぼ同様な動作については説明を省略する。
【０１０２】
無線端末装置３６０のＣＰＵ３５１は、操作部３３１の操作に基づいて、制御信号及び識別信号を赤外線発光部３７１に出力する。
【０１０３】
制御信号及び識別信号は、ＣＰＵ３５１によって赤外線発光部３７１に出力されると、赤外線発光部３７１で赤外線によって発光された後、スピーカ装置２６０の赤外線受光部２７１によって受光され、赤外線センサ２７２によってＣＰＵ２５１に出力される。
【０１０４】
【発明の効果】
以上説明したように、本発明によれば、事件現場にいる人に犯罪の危険や犯罪が発生したことを従来と比較して早く知らせることができる防犯システムを提供することができる。
【図面の簡単な説明】
【図１】本発明の第１の実施の形態に係る防犯システムのブロック図
【図２】図１に示す防犯システムのスピーカ装置の外観斜視図
【図３】図２に示すスピーカ装置のブロック図
【図４】図１に示す防犯システムの無線端末装置の外観斜視図
【図５】図４に示す無線端末装置のブロック図
【図６】図１に示す防犯システムの出力装置のブロック図
【図７】本発明の第２の実施の形態に係る防犯システムのスピーカ装置の外観斜視図
【図８】図７に示すスピーカ装置のブロック図
【図９】本発明の第２の実施の形態に係る防犯システムの無線端末装置の外観斜視図
【図１０】図９に示す無線端末装置のブロック図
【図１１】従来の防犯システムのブロック図
【符号の説明】
１００　　　防犯システム
２００　　　スピーカ装置
２１１　　　アンテナ（無線受信部）
２１２　　　受信部（無線受信部）
２２１　　　メモリ（音情報記録部、識別情報記録部）
２３１　　　スピーカ
２４１　　　送受信部（通知情報送信部、制御情報受信部、識別情報送信部、識別情報送信部）
２５１　　　ＣＰＵ（制御部）
３００　　　無線端末装置
３１１　　　アンテナ（無線送信部）
３１２　　　送信部（無線送信部）
４００　　　出力装置（制御装置、特定装置、記録装置）
４１１　　　スピーカ（出力部）
４１２　　　表示部（出力部）
４２１　　　メモリ（登録部、識別情報記録部）
４３１　　　送受信部（通知情報受信部、制御情報送信部、識別情報受信部、識別情報受信部）
４５１　　　ＣＰＵ（出力部、特定部）
２６０　　　スピーカ装置
２７１　　　赤外線受光部（無線受信部）
２７２　　　赤外線センサ（無線受信部）
３６０　　　無線端末装置
３７１　　　赤外線発光部（無線送信部）
【図１】
2004139505.tif 000003
【図２】
2004139505.tif 000004
【図３】
2004139505.tif 000005
【図４】
2004139505.tif 000006
【図５】
2004139505.tif 000007
【図６】
2004139505.tif 000008
【図７】
2004139505.tif 000009
【図８】
2004139505.tif 000010
【図９】
2004139505.tif 000011
【図１０】
2004139505.tif 000012
【図１１】
2004139505.tif 000013